(57)【要約】      （修正有）【課題】抱っこ紐等を用いて乳幼児を抱っこした状態であっても容易に装着することが可能であり、授乳時においてそのことを外部から容易に気が付かれることを防止する授乳カバーを提供する。【解決手段】使用者１１の前方において乳幼児１２を収容可能な収容袋１３と、その収容袋１３に取り付けられ使用者１１の肩から掛けることによって収容袋１３を支持可能な１対の肩ベルト部材１４と、を有する抱っこ具２０に用いられる授乳カバー１０である。肩ベルト部材１４の前方側における所定の高さに着脱可能に取り付けられたカバー支持部材１と、両端がカバー支持部材１にそれぞれ取り付けられたカバー部材２と、を備える。【選択図】図１
0003185589.tif 000002
【実用新案登録請求の範囲】
【請求項１】
使用者の前方において乳幼児を収容可能な収容袋と、該収容袋に取り付けられ前記使用者の肩から掛けることによって前記収容袋を支持可能な１対の肩ベルト部材と、を有する抱っこ具に用いられる授乳カバーであって、
前記肩ベルト部材の前記前方側における所定の高さに着脱可能に取り付けられたカバー支持部材と、
両端が前記カバー支持部材にそれぞれ取り付けられたカバー部材と、を備える、ことを特徴とする授乳カバー。
【請求項２】
両端が前記カバー部材にそれぞれ固着した肩紐をさらに備え、
前記カバー支持部材は、前記１対の肩ベルト部材に対して着脱可能にそれぞれ取り付けられたものであり、
前記カバー部材は、両端が前記１対のカバー支持部材にそれぞれ取り付けられており、
前記カバー部材は、前記肩紐を使用者の首に掛けることよって展開される、ことを特徴とする請求項１に記載の授乳カバー。
【請求項３】
前記カバー部材は、両端が単一の前記カバー支持部材に取り付けられており、その中央部を前記使用者の首に掛けることによって展開される、ことを特徴とする請求項１に記載の授乳カバー。
【請求項４】
前記カバー部材は、それぞれの一端が前記１対のカバー支持部材にそれぞれ取り付けられた第１カバー部材と第２カバー部材とからなり、
前記第１カバー部材と前記第２カバー部材とは、前記１対のカバー支持部材の内部にそれぞれ収容可能であり、かつ、それぞれの他端同士が連結可能である、ことを特徴とする請求項２に記載の授乳カバー。
【請求項５】
前記カバー支持部材は、一端が前記カバー支持部材に取り付けられた脇カバー部材を有し、
前記脇カバー部材は、前記カバー支持部材の内部に収納可能であり、かつ、その他端が前記肩ベルト部材の後方側に取り付け可能である、ことを特徴とする請求項１に記載の授乳カバー。
【考案の詳細な説明】
【技術分野】
【０００１】
本考案は、外出先等で母親が乳幼児に授乳する際に用いられる授乳カバーに関する。
【背景技術】
【０００２】
乳幼児に対して母親はある程度決められた時間に授乳を行う必要があるが、外出先においては授乳室がない場合や授乳室が満員で使用ができないという状況が頻繁に発生している。
このような場合に、完全に隔離されていない場所（人の目に触れる可能性がある場所）においても授乳することを可能にするためのものとして、例えば下記の特許文献１に記載された授乳エプロンが既に知られている。
【０００３】
特許文献１に記載の授乳エプロンは、布に芯を入れて張りをもたせることによって、この布が乳幼児の顔にかからず、母が自身の手元を確認できるようになるというものである。
【先行技術文献】
【特許文献】
【０００４】
【特許文献１】特開２００３−０５５８１６号公報、「授乳エプロン」
【考案の概要】
【考案が解決しようとする課題】
【０００５】
特許文献１に記載の授乳エプロンは、完全に隔離されていな場所においても授乳させることが可能である。しかしこのようなエプロンを使用して授乳を行った場合、授乳を行っているということが外部から一目瞭然であるため、ある程度人通りが少ない場所等を探して授乳を行わなければならない場合があるという問題点を有していた。
【０００６】
また、上記のような外出時においては、母親は抱っこ紐等を用いて乳幼児を抱っこしている状態にあることが多く、授乳の度に抱っこ紐等を取り外して授乳の準備をすることは非常に手間がかかる。そのため、抱っこ紐等を用いて乳幼児を抱っこした状態で使用することができる授乳カバーが求められていた。
【０００７】
そこで、本考案の目的は、抱っこ紐等を用いて乳幼児を抱っこした状態であっても容易に装着することが可能であり、授乳時においてそのことを外部から容易に気が付かれることを防止する授乳カバーを提供することにある。
【課題を解決するための手段】
【０００８】
本考案によれば、使用者の前方において乳幼児を収容可能な収容袋と、該収容袋に取り付けられ前記使用者の肩から掛けることによって前記収容袋を支持可能な１対の肩ベルト部材と、を有する抱っこ具に用いられる授乳カバーであって、
前記肩ベルト部材の前記前方側における所定の高さに着脱可能に取り付けられたカバー支持部材と、
両端が前記カバー支持部材にそれぞれ取り付けられたカバー部材と、を備える、ことを特徴とする授乳カバーが提供される。
【０００９】
また、本考案の実施形態によれば、両端が前記カバー部材にそれぞれ固着した肩紐をさらに備え、
前記カバー支持部材は、前記１対の肩ベルト部材に対して着脱可能にそれぞれ取り付けられたものであり、
前記カバー部材は、両端が前記１対のカバー支持部材にそれぞれ取り付けられており、
前記カバー部材は、前記肩紐を使用者の首に掛けることよって展開される。
【００１０】
また、本考案の実施形態によれば、前記カバー部材は、両端が単一の前記カバー支持部材に取り付けられており、その中央部を前記使用者の首に掛けることによって展開される。
【００１１】
また、本考案の実施形態によれば、前記カバー部材は、それぞれの一端が前記１対のカバー支持部材にそれぞれ取り付けられた第１カバー部材と第２カバー部材とからなり、
前記第１カバー部材と前記第２カバー部材とは、前記１対のカバー支持部材の内部にそれぞれ収容可能であり、かつ、それぞれの他端同士が連結可能である。
【００１２】
また、本考案の実施形態によれば、カバー支持部材は、一端が前記カバー支持部材に取り付けられた脇カバー部材を有し、
前記脇カバー部材は、前記カバー支持部材の内部に収納可能であり、かつ、その他端が前記肩ベルト部材の後方側に取り付け可能である。
【考案の効果】
【００１３】
本考案の授乳カバーは、肩ベルト部材の前方側における所定の高さに着脱可能に取り付けられたカバー支持部材と、両端がカバー支持部材にそれぞれ取り付けられたカバー部材と、を備えることによって、肩ベルト部材を備える抱っこ紐等に取り付けることが可能になる。
そのため、抱っこ紐等を用いて乳幼児を抱っこした状態であっても容易に装着することができる。また、抱っこ紐等によって乳幼児を抱っこしたまま装着して使用することが可能であるため、授乳時においてそのことを外部から容易に気が付かれることを防止することができる。
【図面の簡単な説明】
【００１４】
【図１】本考案の第１実施形態による授乳カバーの使用時における説明図である。
【図２】本考案の第１実施形態によるカバー支持部材の構成図である。
【図３】本考案の第１実施形態による授乳カバーの構成図である。
【図４】本考案の第２実施形態による授乳カバーの展開時における説明図である。
【図５】本考案の第２実施形態による授乳カバーの展開完了後における説明図である。
【図６】本考案の第２実施形態による授乳カバーの構成図である。
【図７】本考案の第３実施形態による授乳カバーの構成図である。
【図８】本考案による脇カバー部材の説明図である。
【考案を実施するための形態】
【００１５】
以下、本考案の好ましい実施形態を添付図面に基づいて詳細に説明する。なお、各図において共通する部分には同一の符号を付し、重複した説明を省略する。
【００１６】
図１は、本考案の第１実施形態による授乳カバーの使用時における説明図である。図１（Ａ）は、カバー部材２の収納時の説明図であり、図１（Ｂ）は、カバー部材２の展開後の説明図である。
本考案における授乳カバー１０は、後述するように子供を抱っこする抱っこ具２０（抱っこ紐等を含む）に取り付け可能であるものを想定している。
具体的に、本考案における授乳カバー１０が取り付け可能である抱っこ具２０は、図１に示すように、使用者１１の前方において乳幼児１２を収容可能な収容袋１３と、この収容袋１３に取り付けられ使用者１１の肩から掛けることによって収容袋１３を支持可能な１対の肩ベルト部材１４と、を有する抱っこ具２０に用いられるものを想定している。
また、本考案における授乳カバー１０は、詳細については後述するが、カバー支持部材１と、カバー部材２と、肩紐３とを備えるものを想定している。
【００１７】
図２は、本考案の第１実施形態によるカバー支持部材の構成図である。図２（Ａ）は、肩ベルト部材への取り付け前における構成図であり、図２（Ｂ）は、肩ベルト部材への取り付け時における構成図である。
カバー支持部材１は、肩ベルト部材１４の前方側における所定の高さに着脱可能に取り付けられたものであり、図１の例（第１実施形態）においては、１対の肩ベルト部材１４に対して着脱可能にそれぞれ取り付けられたものを想定している。
また、図２におけるカバー支持部材１は、本体部１ａと、カバー収納部１ｂと、カバー収納口１ｃと、ボタン孔１ｄ、ボタン１ｅとを有している。
なお、ここでいう「前方」とは、使用者１１が抱っこ具２０によって乳幼児１２を抱っこした場合における正面方向のことであり、「後方」とは、「前方」と反対方向のことである。
【００１８】
本体部１ａは、図２（Ａ）に示すように、矩形の布からなるものを想定している。この例において本体部１ａは、その両端にそれぞれボタン孔１ｄとボタン１ｅとを有しており、これらが嵌合することによって、図２（Ｂ）に示すような中空筒形状になる。
この構成を有することによって、カバー支持部材１は肩ベルト部材１４に巻きつけることが可能になるため、これを肩ベルト部材１４における所定の高さにおいて取り付けることができる。さらに、本体部１ａが布からなるため、肩ベルト部材１４の形状を問わず取り付けることが可能になる。なお、ここでいう「所定の高さ」とは、授乳中における乳幼児の口付近を外部から隠すことが可能な高さである。
また、取り付けたカバー支持部材１が取り付けた部分からずれ落ちてしまうことを防止するために、カバー支持部材１及び肩ベルト部材１４にボタン（図示しない）及びボタン孔（図示しない）を取り付ける構成であってもよい。
【００１９】
また、上述したボタン及びボタン孔は、図２（Ａ）における取り付け位置と逆の位置に取り付けられたものであってもよい。また、このボタン及びボタン孔に代えて、例えばマジックテープ（登録商標）等を用いることによって、カバー支持部材１の中空筒形状を維持し、カバー支持部材１を肩ベルト部材１４に取り付ける構成であってもよい。
【００２０】
本体部１ａは、この例においては矩形の布からなるものを想定しているが、変形性に富んだ材質であればナイロン等からなるものであってもよい。
この構成を有することによって、このカバー支持部材１が乳幼児１２に触れても摩擦等によって乳幼児１２を傷つけることがないというメリットを有する。また、例えば、このカバー支持部材１の外面をタオル生地等で覆うことによって、夏場等に使用する場合においては、そのまま乳幼児の汗等を拭くことが可能になる。さらに、この授乳カバー１０は、抱っこ具２０から取り外すことが可能であるため、授乳カバー１０のみを取外して洗濯等することが可能になる。
また、本体部１ａは、後述するカバー部材２の収納又は展開を容易に行うために、その内部に針金等を通すことによってある程度の形状安定を行うことができる構成からなるものであってもよい。
【００２１】
なお、この実施形態における本体部１ａは、矩形形状からなるものを想定しているが、これ以外にも例えば台形形状からなるものであってもよい。
また、この実施形態においては、図２（Ａ）における横の長さ（腕に巻きつける辺の長さ）は２０ｃｍ〜２５ｃｍ程度であり、縦の長さ（取り付け時に肩ベルト部材１４と平行に位置する辺の長さ）は２６ｃｍ程度のものを想定しているが、必要に応じて変更されるものであってよい。
【００２２】
カバー収納部１ｂは、その内部において後述するカバー部材２を収納可能であり、カバー収納口１ｃを介してカバー部材２を出し入れすることが可能である。
この構成を有することによって、カバー部材２を展開していないとき（授乳していないとき）においては、カバー部材２を完全に内部に収納しておくことが可能になるため、カバー支持部材１を肩ベルト部材１４に取り付けておいても邪魔になりにくいというメリットがある。
【００２３】
図３は、本考案の第１実施形態による授乳カバーの構成図であってカバー収納部に収納されたカバー部材を展開させた場合の構成図である。
【００２４】
カバー部材２は、両端がカバー支持部材１にそれぞれ取り付けられたものであり、図３の例（第１実施形態）においては、両端が１対のカバー支持部材１にそれぞれ取り付けられているものを想定している。
また、第１実施形態におけるカバー部材２は、それぞれの一端が１対のカバー支持部材１にそれぞれ取り付けられた第１カバー部材２ａと第２カバー部材２ｂとからなるものであって、第１カバー部材２ａと第２カバー部材２ｂとは、１対のカバー支持部材１の内部にそれぞれ収容可能であり、かつ、それぞれの他端同士が連結可能であるものであってもよい。
【００２５】
また、この例において、第１カバー部材２ａと第２カバー部材２ｂとは、それぞれの他端においてボタン２ｃとボタン孔（図示しない）とを有しており、これが嵌合することによって連結するものを想定しているが、マジックテープ（登録商標）等を用いて連結するものであってよい。
【００２６】
また、このカバー部材２は、カバー支持部材１と同様に、矩形の布からなるものを想定しているが、変形性に富んだ材質であればナイロン等からなるものであってもよい。
この構成を有することによって、カバー支持部材１と同様に、このカバー部材２が乳幼児１２に触れても摩擦等によって乳幼児１２を傷つけることがないというメリットを有する。また、例えば、このカバー支持部材１の外面をタオル生地等で覆うことによって、夏場等に使用する場合においては、そのまま乳幼児の汗等を拭くことが可能になる。さらに、この授乳カバー１０は、抱っこ具２０から取り外すことが可能であるため、授乳カバー１０のみを取外して洗濯等することが可能になる。
【００２７】
また、この実施形態においては、図３における横の長さ（取り付け時に肩ベルト部材１４と垂直になる辺の長さ）は３０ｃｍ〜５０ｃｍ程度であり、縦の長さ（取り付け時に肩ベルト部材１４と平行に位置する辺の長さ）は２６ｃｍ程度のものを想定しているが、必要に応じて変更されるものであってよい。
【００２８】
肩紐３は、この例においては、両端がカバー部材２に固着したものを想定しているが、カバー支持部材１に固着しているものであってもよい。
本考案においては、この肩紐３を有することによって、カバー部材２は、肩紐３を使用者１１の首に掛けることよって、肩紐３と１対のカバー支持部材１との間で展開されるものを想定している。
この構成を有することにより、カバー支持部材１を取り付ける高さ（上記所定の高さ）を調整することで、カバー部材２を乳幼児１２の頭部を覆うことができる高さに位置させることが可能になる。
なお、この肩紐３は、使用者１１の首に直接接触するものであるため、布等からなるものであることが好ましく、また、使用者１１の首が摩擦等によって傷つくことを防止するため、例えば、肩紐３を平板形状からなる紐を用いたものであることが好ましい。
【００２９】
図４（Ａ）は、本考案の第２実施形態による授乳カバーの展開前における説明図であり、図４（Ｂ）は、展開中における説明図である。また、図５は、本考案の第２実施形態による授乳カバーの展開完了後における説明図である。
第２実施形態における授乳カバー３０は、第１実施形態と同様に、子供を抱っこする抱っこ具２０（抱っこ紐等を含む）の２ヶ所において取り付けられるものを想定している。また、この例においては、カバー支持部材２１、カバー部材２２、肩紐２３と、を備えている。
【００３０】
この実施形態におけるカバー支持部材２１は、図６に示すように、第１対の肩ベルト部材１４の所定の高さにおいて着脱可能に取り付けられているものを想定しているが、この第２実施形態においてはカバー部材２２を内部に収納するものを想定していないため、カバー収納部１ｂ及びカバー収納口１ｃに相当するものは有していない。そのため、第１実施形態におけるカバー支持部材１よりも小さいもの（肩ベルト部材１４が延びる方向の長さが短いもの）であってよい。
【００３１】
カバー部材２２は、この実施形態においては、図６に示すように、カバー支持部材２１に取り付けられながら、これにぶら下がる状態で位置するものを想定している。
そのため、未使用時においては、図４（Ａ）に示すように、カバー部材２２を折畳む形で（外見上小さくなる形で）格納しておくものを想定している。なお、カバー部材２２に一端が固着された紐状部材２２ａを設けておき、カバー部材２２の折畳み時においてこれをその周囲から巻きつけて緊締することによって、この折畳み状態を維持するものであってもよい。
【００３２】
授乳を行う際においては、図４（Ｂ）に示すように、上述した紐状部材２２ａによる緊締を解除する等によって、カバー部材２２を展開させる。次に、図５に示すように、展開したカバー部材２２の先端（乳幼児１２の抱っこ時における下端）を乳幼児１２の頭部を覆うように上方向（使用者１１の顔の方向）に移動させ、かつ、カバー部材２２に取り付けられている肩紐２３を使用者１１の首に掛けることによって、授乳カバー３０の装着が完了する。
【００３３】
なお、図６に示すように、カバー部材２２に紐状部材からなる装着補助部材２４を設けておき、図５に示すような授乳カバー３０の装着時において、この装着補助部材２４を例えば肩ベルト部材１４に取り付けることによって、より安定的に授乳カバー３０の装着を行うものであってもよい。
【００３４】
図７は、本考案の第３実施形態による授乳カバーの構成図である。
【００３５】
第３実施形態における授乳カバー４０は、第１実施形態及び第２実施形態とは異なり、単一のカバー支持部材３１のみを用いるものであり、抱っこ具２０の肩ベルト部材１４における１か所に取り付けられるものを想定している。また、この例においては、カバー支持部材３１と、カバー部材３２と、を備えている。
【００３６】
この実施形態におけるカバー支持部材３１は、図７に示すように、肩ベルト部材１４の所定の高さにおいて着脱可能に１つのみ取り付けられているものを想定している。また、このカバー支持部材３１は、第１実施形態におけるものを同様に、内部にカバー部材３２を収納可能であるものを想定している。そのため、第１実施形態におけるカバー支持部材１と同じものを用いるものであってもよい。
【００３７】
カバー部材３２は、両端が単一のカバー支持部材３１に取り付けられており、その中央部３２ａを使用者１１の首に掛けることによって展開されるものである。よって、この実施形態におけるカバー部材３２は、カバー支持部材３１を介する形で環状形状を構成するものである。
【００３８】
この実施形態においては、上述した構成を有することによって、カバー支持部材３１の内部からカバー部材３２を取り出した後、その中央部３２ａを使用者１１の首に掛けるだけで容易に展開を行うことが可能になる。そのため、必要に応じて迅速に授乳を開始することができる。また、カバー部材３２の中央部３２ａを直接首に掛けることが可能であるため、肩紐を用いる必要がないというメリットを有している。
【００３９】
図８は、本考案による脇カバー部材の説明図である。
本考案におけるカバー支持部材１は、一端がこのカバー支持部材１に取り付けられた１対の脇カバー部材４を有しているものを想定している。
【００４０】
この脇カバー部材４は、この例においては、カバー支持部材１の内部に収納可能であり、かつ、他端が肩ベルト部材１４の後方側に取り付け可能である。
具体的に、使用者１１が抱っこ具２０によって乳幼児１２を抱っこしている状態において、この脇カバー部材４は、肩ベルト部材１４と脇カバー部材４とが使用者１１の腕を中心に一周する形で（使用者１１の脇の胴体側を覆う位置に）取り付けられるものである。
【００４１】
この構成によって、本考案の授乳カバー１０を用いた場合の授乳時に、肩ベルト部材１４と使用者１１との間に隙間がある場合であっても、ここを隠すことが可能になるというメリットを有している。
【００４２】
なお、この脇カバー部材４は、第１実施形態及び第３実施形態においては、カバー部材２と同様に、脇カバー収納口１ｆを介してカバー支持部材１、３１に設けられた脇カバー収納部（図示しない）に収納されるものであり、必要なときに展開するものであってよい。さらに、第１実施形態においては１対のカバー支持部材１のそれぞれに設けられているものが好ましい。
また、この脇カバー部材４は、第２実施形態においては、カバー支持部材２１の内部に収納可能に取り付けられるものではなく、一端がカバー部材２２の側面に取り付けられているものであってもよい。
【００４３】
本考案の授乳カバー１０は、肩ベルト部材１４の前方側における所定の高さに着脱可能に取り付けられたカバー支持部材１と、両端がカバー支持部材１にそれぞれ取り付けられたカバー部材２と、を備えることによって、肩ベルト部材１４を備える抱っこ紐等に取り付けることが可能になる。
そのため、抱っこ紐等を用いて乳幼児１２を抱っこした状態であっても容易に装着することができる。また、抱っこ紐等によって乳幼児１２を抱っこしたまま装着して使用することが可能であるため、授乳時においてそのことを外部から容易に気が付かれることを防止することができる。
【００４４】
なお、本考案は上述した実施形態に限定されず、実用新案登録請求の範囲の記載によって示され、さらに実用新案登録請求の範囲の記載と均等の意味および範囲内でのすべての変更を含むものである。
【符号の説明】
【００４５】
１  カバー支持部材
１ａ  本体部
１ｂ  カバー収納部
１ｃ  カバー収納口
１ｄ  ボタン孔
１ｅ  ボタン
１ｆ  脇カバー収納口
２  カバー部材
２ａ  第１カバー部材
２ｂ  第２カバー部材
２ｃ  ボタン
３  肩紐
４  脇カバー部材
１０  授乳カバー
１１  使用者
１２  乳幼児
１３  収容袋
１４  肩ベルト部材
２０  抱っこ具
２１  カバー支持部材
２２  カバー部材
２２ａ  紐状部材
２３  肩紐
２４  装着補助部材
３０  授乳カバー
３１  カバー支持部材
３２  カバー部材
３２ａ  中央部
４０  授乳カバー
【図１】
0003185589.tif 000003
【図２】
0003185589.tif 000004
【図３】
0003185589.tif 000005
【図４】
0003185589.tif 000006
【図５】
0003185589.tif 000007
【図６】
0003185589.tif 000008
【図７】
0003185589.tif 000009
【図８】
0003185589.tif 000010